(57)【特許請求の範囲】
【請求項１】
視認性表示および展示性表示のうち、前者の視認性表示を視認性の高いカートン天面の切り取りミシン目等で区切られたティシュペーパーの取出し口の表面に設けると共に後者の展示性表示をカートン底面に印刷し、かつ上記の視認性表示が、品質表示、商品識別コード、および使用上の注意書きのいずれか１つまたは２つ以上であることを特徴とするティシュペーパーのカートン。
【請求項２】
展示性表示が消費者へ製品訴求する文章および／または図柄等の対消費者への訴求情報である請求項１記載のティシュペーパーのカートン。
【請求項３】
カートンの天面にミシン目等により分離可能なティシュペーパーの取出し口が設けられているティシュペーパーのカートンにおいて、該ティシュペーパーの品質表示および商品識別コードを含む高い視認性の要求される表示を上記の視認性の高いカートン天面の切り取りミシン目等で区切られたティシュペーパーの取出し口の表面に設けると共に該カートンの底面には展示面としての消費者へ製品訴求するための文章や図柄を含む訴求表示を印刷したことを特徴とする請求項１または２記載のティシュペーパーのカートン。
【請求項４】
天面表示が消費者キャンペーン等の申し込み用シールを含んでいる請求項１から３までのいずれか１項記載のティシュペーパーのカートン。
【請求項５】
視認性表示がカートン天面の取出し口の表面に表示されると共に展示性表示がカートン底面に印刷されてカートンの底面が店頭で消費者に提示される展示面とした請求項１から４までのいずれか１項記載のティシュペーパーのカートン。
【請求項６】
視認性表示をカートン天面の取出し口の表面に表示すると共に消費者へ製品訴求するための文章や図柄を含む訴求表示を、消費者に店頭提示される展示面であるカートン底面に印刷することにより、補助販売促進物の取付けないし附属を省きうるようにした請求項１から５までのいずれか１項記載のティシュペーパーのカートン。
【発明の詳細な説明】
【０００１】
【発明の属する技術分野】
本発明は高い視認性の要求される視認性表示をカートン天面の切り取りミシン目等で区切られたティシュペーパーの取出口の表面に設け、高い展示性の要求される展示性表示をカートン底面を店頭表示面としてこれに印刷するようにしたティシュペーパーのカートンに関する。
【０００２】
【従来の技術】
通常、カートンの天面にはミシン目等により分離可能なティシュペーパーの取り出し口が設けられており、これは購買者が使用開始時に切り取り廃棄される。通常のティシュペーパーカートンは直方体であり、消費者へ製品訴求する文章や図柄を表記できるのは６面であるが、使用状況や見栄えに関するデザイン等を考えると、底面が一番適当である。
【０００３】
しかし、現在は底面には商品識別コードや品質表示が印刷されており、効果的な製品訴求の文章や図柄を表記するには不十分である。
又、消費者キャンペーンなどの際、申し込み用シールとして使用されるシールが通常底面にあり、消費者はティシュペーパーを使い終わらないとシールを切り取ることが難しい。
【０００４】
【発明が解決しようとする課題】
本発明は使用勝手やデザイン性を損なうことなく、効果的な消費者への製品訴求を行うことを可能としたティシュペーパーのカートンを提供しようとするものである。
また本発明は消費者キャンペーン用の申し込みシール等を、ティシュペーパーを使い終わらなくても簡単に切り取れるようにしたティシュペーパーのカートンを提供しようとするものである。
【０００５】
【課題を解決するための手段】
本発明においては底面に印刷されている品質表示や商品識別コード及び消費者キャンペーン等の申し込み用シール、更に使用上の注意書き等を、カートン天面の切り取りミシン目等で区切られたティシュペーパー取り出し口に表示することを特徴とし、また底面には消費者へ製品訴求するための、文章や図柄を印刷することを特徴としている。
【０００６】
【作用】
本発明の要旨とする所は、視認性表示をカートン天面の切り取りミシン目等で区切られたティシュペーパーの取出口の表面に設けると共に展示性表示をカートン底面に印刷したことを特徴とするティシュペーパーのカートンに存するものであるが、本発明で言う視認性表示とは高い視認性の要求される表示、具体的には品質表示、商品識別コード、消費者キャンペーン等の申し込み用シール、使用上の注意書きその他の高視認性情報を言う。
【０００７】
また本発明で言う展示性表示とは消費者へ製品訴求する文章や図柄その他の高展示性情報を言う。
【０００８】
本発明では上記の高視認性情報はこれを視認性の高いカートン天面の切り取りミシン目等で区切られたティシュペーパーの取出口の表面に設けて消費者へその購入時の情報伝達を効果的にしたものである。
【０００９】
また本発明では上記の高展示性情報はこれをカートン底面を展示面としてこれに印刷することによりその使用状況や見栄えを改善すると共に補助販促物（ｐｏｐ）の製作、取付け、取り外しの手間を省き、一時的なｐｏｐよりもより長く正確に情報発信できるようにしたものである。
【００１０】
【発明の効果】
本発明によれば以下の如き効果が得られる。
（１）小売店等で底面側を消費者に提示することにより、効果的な製品の特徴等の訴求が可能となる。
（２）訴求面が底面であり、品質表示等は切り取り可能な天面取出し口に印刷されているので、消費者が使用時には、本来販売側が意図した天面及び側面のデザインのみが認識される。
（３）消費者キャンペーン等に使用されるシールが、天面取り出し口に印刷されているので、ティシュペーパーの使用状況に関わりなくキャンペーン等に応募可能となり、又シールの蓄積も容易となる。
【００１１】
【実施例】
以下に実施例をあげて説明するが、本発明はこの実施例によって制約されるものではない。
【００１２】
（実施例１）
図１はティシュペーパーのカートンの展開平面図で、カートンの天面（１）にはミシン目（２）により分離可能なティシュペーパーの取り出し口（３）が設けられており、これは購買者が使用開始時に切り取り廃棄されるものである。
【００１３】
この取り出し口（３）に品質表示（４）、商品識別コード（５）、消費者キャンペーン等の申し込み用シール（６）、使用上の注意書き（７）等の視認性情報が表示されている。
【００１４】
またカートン底面（８）には消費者へ製品訴求するための文章（９）や図柄（１０）等の展示性情報が印刷されている。
【００１５】
図２は店頭展示、販売使用の状態におけるティシュペーパーのカートンの天面（１）をみた俯瞰図であり、取り出し口（３）には前出のように情報（４）〜（７）が表示されている。
【００１６】
図３は同じくティシュペーパーのカートンの底面（展示面）（９）をみた俯瞰図であり、この展示面には情報（９）（１０）が印刷されている。
【図面の簡単な説明】
【図１】本発明のティシュペーパーのカートンの展開平面図である。
【図２】同上の組立カートンの天面俯瞰図である。
【図３】同上の組立カートンの底面（展示面）の俯瞰図である。
【符号の】
１……カートン天面
２……ミシン目
３……取り出し口
４……品質表示
５……商品識別コード
６……消費者キャンペーン等の申し込み用シール
７……使用上の注意書き
８……カートン底面
９……消費者へ製品訴求するための文章
１０……同上の図柄
【図１】
0003700764.tif 000002
【図２】
0003700764.tif 000003
【図３】
0003700764.tif 000004